(57)【要約】      （修正有）【課題】ユーザーの要望に沿った操作を可能とするとともに、容易かつ低コストで製造することができる操作卓を提供する。【解決手段】複数の操作部を備え、吊物を吊り下げるワイヤＷを繰り出しおよび巻取り可能な複数のウインチ２１，２２，２３，２４のうち選択したウインチに上記操作部を割り当てて、上記操作部の操作によって選択したウインチの操作を行う操作卓１において、電源スイッチモジュール２と、上記操作部を有する操作モジュール３とを備え、上記電源スイッチモジュール２の側方に上記操作モジュール３を連結することでこれらが一体化されることを特徴とする。【選択図】図１
2014125320.tif 000002
【特許請求の範囲】
【請求項１】
複数の操作部を備え、吊物を吊り下げるワイヤを繰り出しおよび巻取り可能な複数のウインチのうち選択したウインチに上記操作部を割り当てて、上記操作部の操作によって選択したウインチの操作を行う操作卓において、電源スイッチモジュールと、上記操作部を有する操作モジュールとを備え、上記電源スイッチモジュールの側方に上記操作モジュールを連結することでこれらが一体化されることを特徴とする操作卓。
【請求項２】
上記ウインチの操作に関連する操作が可能な選択モジュールを少なくとも一つ以上備え、当該選択モジュールを上記電源スイッチモジュールおよび上記操作モジュールに連結することでこれらが一体化されることを特徴とする請求項１に記載の操作卓。
【請求項３】
上記選択モジュールは、少なくとも一つ以上の操作部を備える増設操作モジュール、割り当てられた上記ウインチを操作可能なレバーを備えたレバーモジュール、割り当てられた上記ウインチにおけるワイヤの繰り出し速度および巻取り速度を調節可能な速度調節モジュールおよび上記ウインチのうち任意のウインチに予め決められた動作をさせるキューモジュールから選択されて上記電源スイッチモジュールおよび上記操作モジュールに連結されて一体化されることを特徴とする請求項２に記載の操作卓。
【請求項４】
上記電源スイッチモジュールと上記操作モジュールは、側面から見て外周形状が同一であることを特徴とする請求項１から３のいずれか一項に記載の操作卓。
【請求項５】
上記選択モジュールは、側面から見て外周形状が上記電源スイッチモジュールと上記操作モジュールと同一であることを特徴とする請求項２または３に記載の操作卓。
【発明の詳細な説明】
【技術分野】
【０００１】
本発明は、吊物を吊り下げるワイヤの繰り出しおよび巻上げをするウインチを操作する操作卓に関する。
【背景技術】
【０００２】
舞台やスタジオ等で使用される照明や幕、袖幕などといった吊物を吊り下げるワイヤの繰り出しおよび巻上げをするウインチを操作するには、一般的に操作卓を用いて行う。吊物は、一つのウインチで昇降させる場合もあるが、バトンと称される長い棒やトラス上の長尺な枠体を介してウインチに取り付けられることが多い。たとえば、バトンを用いる場合、バトンを平行に昇降させるため、バトンの数箇所をワイヤで吊るようにしており、バトンを吊るしているワイヤをウインチで巻取り或いは繰り出すことでバトンを昇降させる。
【０００３】
舞台やスタジオには、このようなバトンが多数天井から吊り下げられており、ウインチもバトンの数に応じた数だけ設置されている。また、ウインチは、モータで駆動されるようになっており、モータを駆動するためのコントローラを備えている。
【０００４】
そして、操作卓は、少なくともバトン数に対応する操作部を備えていて、操作部が対応するバトンを吊るしている各ウインチに一対一の関係を持って関連付けられており、操作部の操作により制御装置を介して操作部に対応するウインチのコントローラに昇降に関する指令が送られ、当該ウインチを操作してバトンを昇降させることができるようになっている。
【０００５】
上述のような操作卓であると、操作卓の設置箇所でバトンを操作しなければならず、また、演出にもよるが上演中には操作する必要のないバトンもある。そこで、近年、最低限の必要となる数の操作部、つまり、一度に操作できるバトンの数に対応できる程度の操作部を備えた操作卓が開発されるに到っている。
【先行技術文献】
【特許文献】
【０００６】
【特許文献１】特開２０１２−８６９１５号公報
【発明の概要】
【発明が解決しようとする課題】
【０００７】
この操作卓は、操作卓に備え付けられた操作部を操作したいバトンを吊るすウインチに割り当てることにより、操作部におけるボタンやレバーの操作によってウインチを駆動して操作したバトンを昇降させることができるようになっている。
【０００８】
したがって、このような操作卓では、少ない数の操作部でバトンを昇降させることができるので、移動させることができ、希望する場所でバトンの昇降操作を行うことができる利点がある。
【０００９】
しかしながら、上記操作卓にあっては、予め、決められた数の操作部しか備えておらず、ユーザー毎に操作卓に必要な操作部数が異なる場合が多く、ユーザーの要望に応えるには、操作卓をオーダーメイドで製造するしかなく、一から操作卓を設計し製造することになるため、操作卓のコストが高く、容易に製造することができなかった。
【００１０】
そこで、本発明は、上記不具合を改善するために創案されたものであって、その目的とするところは、ユーザーの要望に沿った操作を可能とするとともに、容易かつ低コストで製造することができる操作卓を提供することである。
【課題を解決するための手段】
【００１１】
上記した目的を解決するために、本発明における課題解決手段は、複数の操作部を備え、吊物を吊り下げるワイヤを繰り出しおよび巻取り可能な複数のウインチのうち選択したウインチに上記操作部を割り当てて、上記操作部の操作によって選択したウインチの操作を行う操作卓において、電源スイッチモジュールと、上記操作部を有する操作モジュールとを備え、上記電源スイッチモジュールの側方に上記操作モジュールを連結することでこれらが一体化されることを特徴とする。
【００１２】
本発明の操作卓は、電源スイッチモジュールと操作モジュールを最小単位として構成することができ、電源スイッチモジュールと操作モジュールとが連結することで一体化されて操作卓を形成するようになっているので、電源スイッチモジュールと操作モジュールの配置を左右入れ替えすることができる。また、要望があれば任意の選択モジュールを電源スイッチモジュールと操作モジュールとの間に配置することもできる。
【発明の効果】
【００１３】
よって、本発明によれば、ユーザーの要望に沿った操作を可能とする操作卓を低コスト且つ容易に製造することができる。
【図面の簡単な説明】
【００１４】
【図１】一実施の形態における操作卓とウインチとコントローラの概略図である。
【図２】一実施の形態における操作卓本体の平面図である。
【図３】一実施の形態における操作卓の電源スイッチモジュールの側面図である。
【図４】一実施の形態における操作卓の操作スイッチモジュールの側面図である。
【図５】一実施の形態における操作卓の増設操作スイッチモジュールの側面図である。
【図６】一実施の形態における操作卓のレバーモジュールの側面図である。
【図７】一実施の形態における操作卓の速度調節モジュールの側面図である。
【図８】一実施の形態における操作卓のキューモジュールの側面図である。
【発明を実施するための形態】
【００１５】
以下、本発明の操作卓について説明する。一実施の形態における操作卓１は、図１に示すように、電源スイッチモジュール２と、複数の、具体的には５つの操作部３ａを備えた操作モジュール３と、選択モジュールとしての増設操作モジュール４と、レバーモジュール５と、速度調節モジュール６と、キューモジュール７と、ディスプレイ８とを備えて構成されている。そして、これら各モジュール２，３，４，５，６，７を連結することで一体化して操作卓本体Ｓを形成し、この操作卓本体Ｓにディスプレイ８に接続することで操作卓１が構成されている。
【００１６】
この操作卓１は、具体的には、バトンＢを吊り下げるワイヤＷを繰り出しおよび巻取り可能な複数のウインチ２１，２２，２３，２４を制御するコントローラ３１と通信可能であって、選択したウインチ２１，２２，２３，２４に任意の操作部３ｂを割り当てて、操作部３ｂの操作によって選択したウインチ２１，２２，２３，２４の操作を行うことができるようになっている。
【００１７】
以下、各部について詳細に説明する。この場合、舞台やスタジオで必要となる照明や幕等といった図示しない吊物は、バトンＢを介してワイヤＷに吊り下げられている。バトンＢは、この場合、長尺棒状であって、図示しない吊物はバトンＢの任意の箇所に吊り下げられる。また、この例では、図１中左方のバトンＢの複数箇所にそれぞれワイヤＷの一端が取付けられており、これらワイヤＷの他端は、ウインチ２１に取付けられていて、ウインチ２１で各ワイヤＷを巻取ることで、バトンＢを上昇させることができ、反対に、ウインチ２１でワイヤＷを繰り出すことで、バトンＢを下降させることができるようになっている。また、図１中の他のバトンＢも同様に複数のワイヤＷで吊り下げられており、対応するウインチ２２，２３，２４でこれらのバトンＢを昇降させることができるようになっている。なお、ウインチ２１，２２，２３，２４は、バトンＢを介さずに直接にワイヤＷに吊り下げられる吊物を上下動させるようにしてもよく、また、ウインチ２１，２２，２３，２４のうち複数で一つのバトンＢを昇降させるようにすることもできる。
【００１８】
ウインチ２１，２２，２３，２４は、ワイヤＷが巻回されるドラムＤと、ドラムＤを回転駆動するモータＭと、モータＭを駆動するドライバＭＤを備えて構成されている。このウインチ２１，２２，２３，２４は、コントローラ３１から送られる駆動指令をドライバＭＤで受け取って、ドライバＭＤがモータＭを駆動することで制御される。
【００１９】
ウインチ２１，２２，２３，２４を制御するコントローラ３１は、操作卓１から送信される駆動指令を受け取ると、当該駆動指令どおりにモータＭを駆動させて、ワイヤＷを繰り出しあるいは巻き取り方向へドラムＤを回転させる。
【００２０】
コントローラ３１は、詳しくは図示しないが、たとえば、操作卓１と通信するための通信手段と、通信手段を介して受け取った駆動指令に基づいてモータＭを制御するための制御指令を演算する制御手段とを備え、制御手段で求めた制御指令をドライバＭＤへ与える。そして、ドライバＭＤがモータＭを制御指令通りにモータＭを駆動することで、操作卓１の操作で指示した通りにモータＭを駆動することができるようになっている。
【００２１】
他方、操作卓１は、この場合、図１および図２に示すように、操作卓本体Ｓを構成する電源スイッチモジュール２と、操作モジュール３と、選択モジュールとしての増設操作モジュール４と、レバーモジュール５と、速度調節モジュール６と、キューモジュール７と、操作卓本体Ｓに接続されるディスプレイ８とを備えている。
【００２２】
電源スイッチモジュール２は、筐体２ａと、筐体２ａに設けた電源スイッチ２ｂとを備えて構成されている。筐体２ａは、図２および図３に示すように、側面から見て長円形とされていて、電源スイッチ２ｂは、当該筺体２ａの上面に設置されている。電源スイッチモジュール２は、これに連結される操作卓本体Ｓを構成する各モジュール３，４，５，６，７およびディスプレイ８へ電気的に接続されており、電源スイッチ２ｂを操作することによって、各モジュール３，４，５，６，７およびディスプレイ８への電力供給をオンオフすることができるようになっている。
【００２３】
この実施の形態にあっては、電源スイッチ２ｂは、図示しない鍵を差し込むことにより回転操作が可能なスイッチとなっていて、鍵を右に回すと電源がオン、左に回すと電源がオフとなるようになっているが、プッシュボタン型のスイッチとされてもよい。また、ＩＤカード読取装置を電源スイッチモジュール２に設けておき、ＩＤカードに格納されているＩＤが操作卓１の操作権限が付与されたＩＤか否かを認識することで電源のオンオフを可能とするようにしてもよく、このようにすれば、操作権限のないユーザーによって操作卓１が操作されてしまうことを防止することが可能である。なお、この実施の形態では、別途、舞台の床の昇降機の操作もできるように昇降機用の電源スイッチ２ｃも設置されている。さらに、電源スイッチモジュール２の筺体２ａの上面には電源スイッチ２ｂ，２ｃの他に電源オン時に点灯するインジケータ２ｄ，２ｅと電源オフ時に点灯するインジケータ２ｆ，２ｇがそれぞれ設けられている。また、筺体２ａの側面の両側には、それぞれ、開口部２ｈと、開口部２ｈの両側に設けた孔２ｉ，２ｉが設けられている。
【００２４】
操作モジュール３は、筐体３ａと、筐体３ａに設けた５つの操作部３ｂとを備えて構成されている。筐体３ａは、図２および図４に示すように、側面から見て長円形とされていて、側面から見た電源スイッチモジュール２の筺体２ａと同一形状とされている。
【００２５】
操作部３ｂは、当該筺体３ａの上面に設置されており、それぞれ、ウインチ２１，２２，２３，２４のうち割り当てられたウインチにおけるワイヤＷの巻き取りを指示する巻取ボタン３ｃと、ワイヤＷの繰り出しを指示する繰り出しボタン３ｄと、当該ウインチを停止させる停止ボタン３ｅと、ウインチの繰り出し速度或いは巻き取り速度を選択する速度選択ボタン３ｆ，３ｇ，３ｈ，３ｉ，３ｊとを備えて構成されている。なお、筺体３ａ内には、図示はしないが、操作部３ｂの操作によってコントローラ３１へ与える駆動指令を生成する制御部と、制御部から出力される駆動指令を上記コントローラ３１の制御手段へ送信する送信部とを備えているが、この制御部と送信部は電源スイッチモジュール２に設けることも可能である。また、筺体３ａの側面の両側には、それぞれ開口部３ｋと、開口部３ｋの両側に設けた孔３ｍ，３ｍが設けられている。
【００２６】
選択モジュールとしての増設操作モジュール４は、筐体４ａと、筐体４ａに設けた２つの操作部４ｂとを備えて構成されている。筐体４ａは、図２および図５に示すように、側面から見て長円形とされていて、側面から見た電源スイッチモジュール２の筺体２ａと同一形状とされている。
【００２７】
操作部４ｂは、操作モジュール３の操作部３ｂと同様に、当該筺体４ａの上面に設置されており、それぞれ、ウインチ２１，２２，２３，２４のうち割り当てられたウインチにおけるワイヤＷの巻き取りを指示する巻取ボタン４ｃと、ワイヤＷの繰り出しを指示する繰り出しボタン４ｄと、当該ウインチを停止させる停止ボタン４ｅと、ウインチの繰り出し速度或いは巻き取り速度を選択する速度選択ボタン４ｆ，４ｇ，４ｈ，４ｉ，４ｊとを備えて構成されている。なお、筺体４ａ内には、図示はしないが、操作部４ｂの操作によってウインチ２１，２２，２３，２４のコントローラ３１へ与える駆動指令を生成する制御部と、制御部から出力される駆動指令を上記コントローラ３１の制御手段へ送信する送信部とを備えているが、この制御部と送信部は電源スイッチモジュール２内、或いは操作モジュール３内に設けることも可能である。また、筺体４ａの側面の両側には、それぞれ開口部４ｋと、開口部４ｋの両側に設けた孔４ｍ，４ｍが設けられている。
【００２８】
選択モジュールとしてのレバーモジュール５は、筐体５ａと、筐体５ａに設けたレバー５ｂとを備えて構成されている。筐体５ａは、図２および図６に示すように、側面から見て長円形とされていて、側面から見た電源スイッチモジュール２の筺体２ａと同一形状とされている。
【００２９】
レバー５ｂは、筺体５ａの上面に設置されており、筺体５ａの前後方向に倒すことができるようになっている。なお、筺体５ａ内には、図示はしないが、レバー５ｂの操作によってウインチ２１，２２，２３，２４のコントローラ３１へ与える駆動指令を生成する制御部と、制御部から出力される駆動指令を上記コントローラ３１の制御手段へ送信する送信部とを備えているが、この制御部と送信部は電源スイッチモジュール２内、或いは操作モジュール３内に設けることも可能である。
【００３０】
そして、たとえば、当該レバー５ｂを前側に倒すと選択されたウインチのワイヤＷを繰り出す駆動指令をコントローラ３１に発信し、レバー５ｂを手前側に倒すと選択されたウインチのワイヤＷを巻き取る駆動指令をコントローラ３１に発信するようになっている。また、レバー５ｂの傾斜度に応じてウインチの繰り出し速度と巻取り速度を調節することができるようにしてもよく、その場合には、レバー５ｂの倒す方向と傾斜角によってウインチの駆動方向と速度の指示を含んだ駆動指令をコントローラ３１へ送るようにすればよい。また、筺体５ａの側面の両側には、それぞれ開口部５ｃと、開口部５ｃの両側に設けた孔５ｄ，５ｄが設けられている。
【００３１】
選択モジュールとしての速度調節モジュール６は、筐体６ａと、筐体６ａに設けた速度調節つまみ６ｂとを備えて構成されている。筐体６ａは、図２および図７に示すように、側面から見て長円形とされていて、側面から見た電源スイッチモジュール２の筺体２ａと同一形状とされている。
【００３２】
速度調節つまみ６ｂは、回転ボリューム型のスイッチであって、当該筺体６ａの上面に設置されており、回転操作することでウインチ２１，２２，２３，２４のうち割り当てられたウインチにおけるワイヤＷの繰り出し速度と巻取り速度を調節することができるようになっている。なお、この場合、ウインチの繰り出し、巻取り速度を表示する表示部６ｃが設けられている。なお、筺体６ａ内には、図示はしないが、速度調節つまみ６ｂの操作によってウインチ２１，２２，２３，２４のコントローラ３１へ与える駆動指令を生成する制御部と、制御部から出力される駆動指令を上記コントローラ３１の制御手段へ送信する送信部とを備えているが、この制御部と送信部は電源スイッチモジュール２内、或いは操作モジュール３内に設けることも可能である。また、筺体６ａの側面の両側には、それぞれ開口部６ｄと、開口部６ｄの両側に設けた孔６ｅ，６ｅが設けられている。
【００３３】
選択モジュールとしてのキューモジュール７は、図２および図８に示すように、筐体７ａと、筐体７ａに設けたウインチ２１，２２，２３，２４のうち選択されたウインチを予め決められた一連動作を実行させるキューボタン７ｂと、当該一連動作を停止させる停止ボタン７ｃと、当該ウインチの動作の速度を調節する速度調節つまみ７ｄと、一連動作を一時停止させる一時停止ボタン７ｅと、一時停止状態から一連動作を再開するフォワードボタン７ｆと、一連動作を逆再生させるレヴューボタン７ｇと、一連動作の再生と逆再生の速度を選択する速度選択ボタン７ｈ，７ｉ，７ｊとを備えて構成されている。筐体７ａは、図２および図８に示すように、側面から見て長円形とされていて、側面から見た電源スイッチモジュール２の筺体２ａと同一形状とされている。なお、筺体７ａ内には、図示はしないが、各ボタン７ｂ，７ｃ，７ｅ，７ｆ，７ｈ，７ｇ，７ｉ，７ｊおよび速度調節つまみ７ｄの操作によってウインチ２１，２２，２３，２４のコントローラ３１へ与える駆動指令を生成する制御部と、制御部から出力される駆動指令を上記コントローラ３１の制御手段へ送信する送信部とを備えているが、この制御部と送信部は電源スイッチモジュール２内、或いは操作モジュール３内に設けることも可能である。また、筺体７ａの側面の両側には、それぞれ開口部７ｋと、開口部７ｋの両側に設けた孔７ｍ，７ｍが設けられている。
【００３４】
このように構成された、電源スイッチモジュール２、操作モジュール３、選択モジュールとしての増設操作モジュール４、レバーモジュール５、速度調節モジュール６およびキューモジュール７は、側方に並べて配置されるとともに、これらが連結されて操作卓本体Ｓを形成する。
【００３５】
これら各モジュール２，３，４，５，６，７の一体化に際しては、たとえば、各筺体２ａ，３ａ，４ａ，５ａ，６ａ，７ａに設けた孔２ｉ，３ｍ，４ｍ，５ｄ，６ｅ，７ｍを利用して隣り合うモジュール同士を図示しないボルトとナットで連結すればよい。また、この実施の形態の場合、図２に示すように、各モジュール２，３，４，５，６，７間にスペーサ９を挟んでいるが、スペーサ９を設けるか否かは任意に選択することができる。なお、このスペーサ９についても、側面から見て長円形とされていて、側面から見た電源スイッチモジュール２の筺体２ａと同一形状とされている。したがって、一体化された操作卓本体Ｓは、各モジュール２，３，４，５，６，７をそれぞれ連結して形成されても外観上凹凸が殆ど生じないので、美観を損ねることが無く、また、机などに置いた際に座り良く、ぐらつくことが無く操作性が良くなる。各モジュール２，３，４，５，６，７のうち、操作卓本体Ｓの両側に配置されるモジュールの終端、つまり、この場合、図２に示すように、電源スイッチモジュール２の右端とレバーモジュール５の左端は、当該電源スイッチモジュール２とレバーモジュール５と同一形状の蓋１０，１０によって閉塞される。
【００３６】
また、電源スイッチモジュール２は、操作モジュール３、増設操作モジュール４、レバーモジュール５、速度調節モジュール６およびキューモジュール７と、操作卓本体Ｓ内で図示しない配線によって電気的に接続されており、これらモジュール３，４，５，６，７へ電力供給できるようになっている。また、操作卓本体Ｓ内に各モジュール３，４，５，６，７に一つずつ制御部と送信部と設けるのではなく、操作卓本体Ｓ内に一つのみ制御部と送信部とを設けて、各モジュール３，４，５，６，７のボタンやスイッチを上記制御部に接続するようにしてもよい。
【００３７】
ディスプレイ８は、この場合、タッチパネル式のディスプレイとされていて、操作卓本体Ｓ内の制御部に接続されている。そして、このディスプレイ８の画面に操作卓本体Ｓと通信可能なコントローラ３１の制御下にあるウインチ２１，２２，２３，２４と操作卓本体Ｓの７つの操作部３ｂ，４ｂのアイコンを表示するようにして、ユーザーの当該アイコン表示箇所の押圧で、ウインチ２１，２２，２３，２４の選択と選択されたウインチの各操作部３ｂ，４ｂへの割付ができるようになっている。ディスプレイ８への表示やウインチ２１，２２，２３，２４の操作部３ｂ，４ｂへの割り付けの実現は、たとえば、上記操作部本体Ｓ内に設けた制御部か、或いは、別途設けられる処理装置が所定のプログラムを実行することで行えばよい。
【００３８】
そして、たとえば、ウインチ２１を操作モジュール３の一つの操作部３ｂに割り付けると、割り付けられた操作部３ｂをユーザーが操作すると、駆動指令がコントローラ３１へ送信され、選択されたウインチ２１のモータＭが駆動してバトンＢが上昇あるいは下降する。また、ウインチ２１，２２，２３，２４から任意に選択したものを任意の一つの操作部３ｂ，４ｂへ割り付けも可能であり、ウインチ２１，２２，２３，２４以外に多数のウインチを設ける場合にあっても、ウインチ数よりも少ない操作部３ｂ，４ｂで操作することができる。つまり、複数のウインチを一つの操作部に割り付けることができる。また、ウインチ２１，２２，２３，２４をレバーモジュール５に割り付けると、レバー５ｂの操作によってウインチ２１，２２，２３，２４を駆動することができ、ウインチ２１，２２，２３，２４を速度調節モジュール６に割り付けると、速度調節つまみ６ｂでウインチ２１，２２，２３，２４の繰り出し或いは巻取り速度を調節できる。
【００３９】
本発明の操作卓１は、電源スイッチモジュール２と操作モジュール３を最小単位として構成することができ、電源スイッチモジュール２と操作モジュール３とが連結することで一体化されて操作卓１を形成するようになっているので、電源スイッチモジュール２と操作モジュール３の配置を左右入れ替えすることができ、また、要望があれば任意の選択モジュール４，５，６，７を電源スイッチモジュール２と操作モジュール３との間に配置することもでき、ユーザーの要望に沿った操作を可能とする操作卓１を低コスト且つ容易に製造することができる。
【００４０】
つまり、ユーザーの要望する操作が、電源スイッチモジュール２と操作モジュール３の組み合わせで足りるのであれば、電源スイッチモジュール２と操作モジュール３とで操作卓１を構成すればよいし、操作部が不足する場合には、これに増設操作モジュール４を追加してユーザーの要望を満足させることができる。
【００４１】
また、選択モジュール４，５，６，７は、電源スイッチモジュール２および操作モジュール３から独立しているので、任意に選択した選択モジュールを要望する数だけ操作卓１に設置することができ、操作卓１への配置も自由であり、電源スイッチモジュール２に操作モジュール４と必要であれば選択モジュール５，６，７を連結していくだけよいので、ユーザーの要望に沿った操作卓１を容易かつ低コストで製造することができる。
【００４２】
さらに、電源スイッチモジュール２は、他のモジュール３，４，５，６，７とは独立しているので、各モジュール３，４，５，６，７をどのような配置で組み上げても、ウインチの操作中には邪魔になる電源スイッチモジュール２を操作卓本体Ｓの右端或いは左端へ配置することができる。
【００４３】
また、レバーモジュール５が他のモジュール２，３，４，６，７から独立しているので、たとえば、レバーモジュール５を二つ設置する場合には、操作卓本体Ｓに対して左右振り分けて配置することができ、ユーザーは、右手で右側のレバーモジュール５のレバー５ｂを、左手で左側のレバーモジュール５のレバー５をそれぞれ操作することが可能となって、操作性が向上する。
【００４４】
なお、各モジュール２，３，４，５，６，７におけるスイッチ、ボタン、表示部は、図示した例に限られるものではない。したがって、たとえば、電源スイッチモジュール２にあっては、押しボタン型の電源スイッチであってもよいし、トグルスイッチであってもよいし、ＩＤカード読取装置により電源オンオフがなされるようにしてもよく、操作モジュール３および増設操作モジュール４の操作部３ｂ，４ｂにあっても、速度選択ボタンの代わりに、ボリューム型のつまみやスライド型のフェーダ等とされてもよい。速度調節モジュール６にあっても、速度調節つまみ６ｂの代わりにスライド型のフェーダとしてもよい。
【００４５】
また、上記したところでは、操作卓１における操作部３ｂ等の操作によって操作卓１から駆動指令をコントローラ３１へ送信して、コントローラ３１がドライバＭＤを介してモータＭを駆動制御するようになっているが、コントローラ３１の機能を操作卓１に組み込む、たとえば、操作卓本体Ｓに設けられる制御部に統合して操作卓本体Ｓをコントローラ３１として機能させて各ウインチ２１，２２，２３，２４のモータＭを駆動制御するようにしてもよいし、また、操作卓本体Ｓから発せられる駆動指令がディスプレイ８の制御部に入力されるようにしておき、このディスプレイ８の制御部にコントローラ３１の機能を統合するようにしてもよい。さらには、図示はしないが、各ウインチ２１，２２，２３，２４のドライバＭＤ毎に対応するモータＭを制御するローカルコントローラを設けておき、これらローカルコントローラのそれぞれと操作卓１と通信を可能としておき、操作卓１からこれらローカルコントローラへ駆動指令を個別に与えることで各ウインチ２１，２２，２３，２４のモータＭを制御するようにするようにしてもよい。
【００４６】
以上、本発明の実施の形態について説明を終えるが、本発明の範囲は図示されまたは説明された詳細そのものには限定されない。
【産業上の利用可能性】
【００４７】
本発明は、吊物を吊り下げるワイヤの繰り出しおよび巻上げをするウインチの操作に利用できる。
【符号の説明】
【００４８】
１  操作卓
２  電源スイッチモジュール
３  操作モジュール
３ｂ，４ｂ  操作部
４  選択モジュールとしての増設操作モジュール
５  選択モジュールとしてのレバーモジュール
５ｂ  レバー
６  選択モジュールとしての速度調節モジュール
７  選択モジュールとしてのキューモジュール
２１，２２，２３，２４  ウインチ
Ｗ  ワイヤ
【図１】
2014125320.tif 000003
【図２】
2014125320.tif 000004
【図３】
2014125320.tif 000005
【図４】
2014125320.tif 000006
【図５】
2014125320.tif 000007
【図６】
2014125320.tif 000008
【図７】
2014125320.tif 000009
【図８】
2014125320.tif 000010